(57)【要約】【課題】本発明は映像記録再生装置に関するもので、使い勝手を良くすることを目的とするものである。【解決手段】そしてこの目的を達成するために本発明は、制御部に、表示部２に表示された番組情報内から選択された番組内容の必要録画容量算出部７と、この必要録画容量算出部７によって算出した必要録画容量とメモリ３の空き容量の比較を行う録画判定部８と、この録画判定部８の判定結果により前記メモリ３への録画モードを切替える録画モード切替部９と、を接続した。【選択図】図２
2011211315.tif 000002
【特許請求の範囲】
【請求項１】
本体ケースと、この本体ケースに設けられた受信部と、この受信部に接続された制御部と、この制御部に接続された番組情報取得部と、この番組情報取得部により取得された番組内容が表示される表示部と、この表示部に表示された番組情報内から選択された番組が録画されるメモリとを備え、前記制御部には、前記表示部に表示された番組情報内から選択された番組内容の必要録画容量算出部と、この必要録画容量算出部によって算出した必要録画容量と前記メモリの空き容量の比較を行う録画判定部と、この録画判定部の判定結果により前記メモリへの録画モードを切替える録画モード切替部と、を接続した映像記録再生装置。
【請求項２】
前記制御部には、録画キーを接続した請求項1に記載の映像記録再生装置。
【請求項３】
前記メモリは、本体ケースに着脱自在に装着した請求項1または２に記載の映像記録再生装置。
【発明の詳細な説明】
【技術分野】
【０００１】
本発明は、例えば、車両に取り付けられる映像記録再生装置に関するものである。
【背景技術】
【０００２】
車両に取り付けられた映像記録再生装置、例えばカーナビゲーション装置でも、放送番組を視聴したり、それを録画したりする録画機能が追加されるようになっている。
【０００３】
すなわち、この種、映像記録再生装置は、本体ケースと、この本体ケースに設けられた受信部と、この受信部に接続された制御部と、この制御部に接続された番組情報取得部と、この番組情報取得部により取得された番組内容が表示される表示部と、この表示部に表示された番組情報内から選択された番組が録画されるメモリとを備えた構成となっていた（例えば下記特許文献１）。
【先行技術文献】
【特許文献】
【０００４】
【特許文献１】特開２００６−３２５１６７号公報
【発明の概要】
【発明が解決しようとする課題】
【０００５】
前記従来例のカーナビゲーション装置では、先ず番組情報取得部により取得された番組内容を表示部に表示させ、次にこの表示から記録しようとする番組を選択し、その後、録画実行操作を行う。
【０００６】
そして、この時に選択した番組を録画するためのメモリ容量が少ないと判断された時には、メモリ内に、既に録画されている番組を削除することによって、今回選択した番組の録画が行えるようにしている。
【０００７】
しかしながら、以前に録画している番組でも、今だ視聴していないものもあり、そのような非視聴番組が、使用者の意思に反して自動的に削除されると、不満感が高まる、つまり使い勝手の悪いものとなる。そこで、本発明は、使用者の使い勝手を良くすることを目的とするものである。
【課題を解決するための手段】
【０００８】
そして、この目的を達成するために本発明は、本体ケースと、この本体ケースに設けられた受信部と、この受信部に接続された制御部と、この制御部に接続された番組情報取得部と、この番組情報取得部により取得された番組内容が表示される表示部と、この表示部に表示された番組情報内から選択された番組が録画されるメモリとを備え、前記制御部には、前記表示部に表示された番組情報内から選択された番組内容の必要録画容量算出部と、この必要録画容量算出部によって算出した必要録画容量と前記メモリの空き容量の比較を行う録画判定部と、この録画判定部の判定結果により前記メモリへの録画モードを切替える録画モード切替部と、を接続し、これによって初期の目的を達成しようとするものである。
【発明の効果】
【０００９】
以上のごとく本発明は、本体ケースと、この本体ケースに設けられた受信部と、この受信部に接続された制御部と、この制御部に接続された番組情報取得部と、この番組情報取得部により取得された番組内容が表示される表示部と、この表示部に表示された番組情報内
から選択された番組が録画されるメモリとを備え、前記制御部には、前記表示部に表示された番組情報内から選択された番組内容の必要録画容量算出部と、この必要録画容量算出部によって算出した必要録画容量と前記メモリの空き容量の比較を行う録画判定部と、この録画判定部の判定結果により前記メモリへの録画モードを切替える録画モード切替部と、を接続したものであるので、使用者の使い勝手を良くすることができる。
【００１０】
すなわち、本発明においては、前記選択された番組内容の必要録画容量が、必要録画容量算出部で算出され、またこの必要録画容量算出部によって算出した必要録画容量と前記メモリの空き容量の比較が録画判定部で行われ、さらにこの録画判定部の判定結果により前記メモリへの録画モードを録画モード切替部によって切替えものであるので、前記選択した番組の必要録画容量が前記メモリの空き容量よりも大きい場合には、録画モードを密録画モードから疎録画モードに切替えるものである。
このため、以前に録画している番組でも、今だ視聴していない非視聴番組が、使用者の意思に反して自動的に削除されることはなく、使い勝手の良いものとなる。
【図面の簡単な説明】
【００１１】
【図１】本発明の実施の形態１に関する映像記録再生装置の斜視図
【図２】同映像記録再生装置の制御ブロック図
【図３】同映像記録再生装置の制御フローチャート
【発明を実施するための形態】
【００１２】
以下、本発明の一実施形態を、映像記録再生装置の一例として、カーナビゲーション装置に適用したものを、添付図面を用いて説明する。
（実施の形態１）
図1において、１は車両に取り付けられる本体ケースで、その前面側には、表示部２が設けられ、また側面にはメモリ３が着脱自在に装着されている。
【００１３】
また、表示部２には、入力キーとして周知のタッチキーが適宜表示されるようになっているが、この図１では、録画実行のための録画キー４が表示された状態を示している。
【００１４】
図２は本体ケース１内に設けられた制御ブロックを示しているが、カーナビゲーション部分については、周知のものを用いているので、図面の煩雑化を避け、また録画機能についての理解を助けるために、敢えてその部分は割愛している。
【００１５】
つまり、この図２は録画機能部分を中心に記載したものであり、制御部５には、周知のごとく、前記メモリ３と録画キー４を含む表示部２や、受信部（図示せず）や、番組情報取得部６が接続されている。
【００１６】
本実施形態では、制御部５に、前記表示部２に表示された番組情報内から選択された番組内容の必要録画容量算出部７と、この必要録画容量算出部７によって算出した必要録画容量と前記メモリ３の空き容量の比較を行う録画判定部８と、この録画判定部８の判定結果により前記メモリ３への録画モードを切替える録画モード切替部９と、を接続している。
以上の構成において、車両内で、放送番組を録画する場合について、図3を用いて説明する。
【００１７】
運転者が、車両の運転をしながら、放送番組を視聴することは絶対に避けなければならないことであるが、スポーツ番組、例えばオリンピックが放送されている時には、人情としてそれを視聴したくなることは良くある。
【００１８】
また、このようなスポーツ番組は映像の綺麗さよりも、結果を知ることが優先されることも多い。つまり、少々映像が粗くてもその結果を見逃さないことの方が、優先されることも多いのである。
このような状態で効果を発揮するのが、本実施形態のカーナビゲーション装置である。
すなわち、その時には、運転者は、先ず車両を停止させ、次に表示部２に録画キー４を表出させ、その後録画キー４にタッチする。
【００１９】
すると、図3のごとく手動録画動作が開始され、表示部２には番組情報取得部６によって取得された番組情報が表示され、運転者はこの番組情報内から録画番組を選択する（Ｓ１）。
この状態で、再度録画キー４にタッチすると、表示部2には地図情報が表示されるので、運転者は運転を再開する。
【００２０】
さて、上述のごとく、再度録画キー４にタッチが行われると、前記制御部５は、前記選択された番組内容の開始時刻と終了時刻を取得し（Ｓ２）、それを必要録画容量算出部７に伝達する。
必要録画容量算出部７では、前記選択された番組内容の開始時刻と終了時刻から、メモリ３の必要録画容量を算出する（Ｓ３）。
録画判定部８は、前記必要録画容量算出部７によって算出した必要録画容量と前記メモリ３の空き容量の比較を行う（Ｓ４）。
【００２１】
この録画判定部８の判定結果が、前記選択した番組の必要録画容量よりも、前記メモリ３の空き容量が大きいと判定した場合には、録画モードを密録画モードとしてメモリ３に録画を行う(Ｓ５)。
【００２２】
これに対して前記録画判定部８の判定結果が、前記選択した番組の必要録画容量よりも、前記メモリ３の空き容量が小さいと判定した場合には、録画モードを密録画モードから疎録画モードに切替え、メモリ３に録画を行う(Ｓ６)。
【００２３】
運転者が次の休憩地点で、車両を止め、先ほどの結果を確認する時に、メモリ３への録画が疎録画モードで行われていても、結果を早く確認できたことで充実感を味わえることとなる。
【００２４】
また、以前に録画している番組でも、今だ視聴していない非視聴番組が、使用者の意思に反して自動的に削除されることもないので、不満感もなく、極めて、使い勝手の良いものとなる。
【産業上の利用可能性】
【００２５】
以上のごとく本発明においては、前記選択された番組内容の必要録画容量が、必要録画容量算出部で算出され、またこの必要録画容量算出部によって算出した必要録画容量と前記メモリの空き容量の比較が録画判定部で行われ、さらにこの録画判定部の判定結果により前記メモリへの録画モードを録画モード切替部によって切替えものであるので、前記選択した番組の必要録画容量が前記メモリの空き容量よりも大きい場合には、録画モードを密録画モードから疎録画モードに切替えるものである。
このため、以前に録画している番組でも、今だ視聴していない非視聴番組が、使用者の意思に反して自動的に削除されることはなく、使い勝手の良いものとなる。
したがって、カーナビゲーション装置や携帯式の映像記録再生装置として広く活用が期待される。
【符号の説明】
【００２６】
１  本体ケース
２  表示部
３  メモリ
４  録画キー
５  制御部
６  番組情報取得部
７  必要録画容量算出部
８  録画判定部
９  録画モード切替部
【図１】
2011211315.tif 000003
【図２】
2011211315.tif 000004
【図３】
2011211315.tif 000005